(57)【要約】【課題】転がり軸受の外輪の外周に樹脂プーリが射出成形により一体成形された樹脂プーリ付き軸受において、樹脂プーリの剛性を確保しつつ、転がり軸受の放熱性を向上させる。【解決手段】転がり軸受１１の軸受幅が、規格寸法（ＪＩＳにより規定され荷重に応じて設定された軸受幅の寸法）よりも広く形成され、樹脂プーリ２１の内径部の軸方向の幅が前記規格寸法に形成される。これにより、その樹脂プーリ２１はその両端面が外輪１３の両端面よりも軸方向内側となり、外輪１３の端面および外径面の両端部が露出して、転がり軸受１１の放熱性を向上させることができる。また、樹脂プーリ２１の内径部の軸方向の幅が前記規格寸法に形成されるので、樹脂プーリ２１の剛性が確保される。【選択図】図１
2010090969.tif 000002
【特許請求の範囲】
【請求項１】
転がり軸受(１１)の外輪(１３)の外周に樹脂プーリ(２１)が射出成形により一体成形された樹脂プーリ付き軸受において、
前記転がり軸受(１１)の軸受幅が規格寸法よりも広く形成され、前記樹脂プーリ(２１)の内径部(２２)の軸方向の幅が前記規格寸法よりも大きく、前記転がり軸受(１１)の軸受幅よりも小幅に形成され、前記樹脂プーリ(２１)は、その両端面が前記外輪(１３)の両端面よりも軸方向内側となるように、前記外輪(１３)の外周に一体化されたことを特徴とする樹脂プーリ付き転がり軸受。
【請求項２】
前記樹脂プーリ(２１)が、その内径部(２２)の軸方向中心を前記外輪(１３)の軸方向中心に一致させた状態で、前記外輪(１３)の外周に一体化されたことを特徴とする請求項１に記載の樹脂プーリ付き転がり軸受。
【請求項３】
前記外輪(１３)の端面に複数の径方向の凹溝(１８)が設けられたことを特徴とする請求項１または２に記載の樹脂プーリ付き軸受。
【請求項４】
前記外輪(１３)の端面に溝(１９)が全周にわたって形成されたことを特徴とする請求項１または２に記載の樹脂プーリ付き軸受。
【請求項５】
外輪(１３)の外径面に周溝(１７)が設けられ、前記樹脂プーリ(２１)の内径部(２２)が前記周溝(１７)に埋め込まれたことを特徴とする請求項１から４のいずれか１つに記載の樹脂プーリ付き転がり軸受。
【請求項６】
前記周溝(１７)はその底面に径方向に突出する複数の係合部(２４)を備え、前記転がり軸受(１１)の回転による温度変化が△ｔである場合、前記周溝(１７)の底面の外径Ｄと、前記樹脂プーリ(２１)の材質の線膨張係数ａと、前記外輪(１３)の材質の線膨張係数ｂと、前記係合部の突出高さｈとで、
ｈ＞Ｄ（（ａ−ｂ）×△ｔ）／２
の関係が成立することを特徴とする請求項５に記載の樹脂プーリ付き軸受。
【請求項７】
前記係合部の突出高さｈの上限が、０．５ｍｍ以下である請求項６に記載の樹脂プーリ付き軸受。
【請求項８】
前記周溝(１７)の底面にローレット加工が施され、ローレット加工によるローレット目が前記係合部(２４)とされたことを特徴とする請求項１から７のいずれか１つに記載の樹脂プーリ軸受。
【請求項９】
前記転がり軸受(１１)の軸受幅が前記樹脂プーリ(２１)の外径部(２３)の軸方向の幅よりも小さく形成されたことを特徴とする請求項１から８のいずれか１つに記載の樹脂プーリ付き軸受。
【請求項１０】
前記転がり軸受が深溝玉軸受であり、前記周溝(１７)が玉（１４）の中心を通るラジアル平面と前記外輪(１３)の端面に形成された面取りとの間に形成されたことを特徴とする請求項１から９のいずれか１つに記載の樹脂プーリ付き軸受。
【請求項１１】
前記転がり軸受(１１)の軸受空間に封入するグリース量の上限が、その軸受空間の静止空間容積比で８０％とされ、前記グリース量の下限が前記転がり軸受の全空間容積比で２０％とされたことを特徴とする請求項１から１０のいずれか１つに記載の樹脂プーリ付き軸受。
【発明の詳細な説明】
【技術分野】
【０００１】
この発明は、転がり軸受の外輪の外周に樹脂プーリを一体化した樹脂プーリ付き軸受に関する。
【背景技術】
【０００２】
転がり軸受の外輪の外周に樹脂プーリを一体化した樹脂プーリ付き軸受は、射出成形により樹脂プーリの内径部が外輪の両端面を抱え込むように、外輪の外径部に樹脂プーリを一体化し、樹脂プーリを軸方向でずれ止めしたものが多い（例えば、特許文献１参照）。
【０００３】
このような樹脂プーリ付き軸受では、外輪の外径面および端面の外周部が樹脂プーリで覆われるため、金属製プーリを採用した金属プーリ付き軸受と比して放熱性が悪く、軸受温度が比較的に高温になり易い。その結果、金属と樹脂の熱膨張率の差によって、外輪と樹脂プーリとの結合強度が低下し、樹脂プーリが周方向へ相対回転するクリープが生じることがある。
【０００４】
この問題を解決するため、前記の樹脂プーリ付き軸受の中には、樹脂プーリを形成する樹脂材料に熱伝導材を添加することにより、樹脂プーリの熱伝導性を高めて転がり軸受の熱を樹脂プーリに円滑に伝えて放熱させるもの（特許文献２参照）、樹脂プーリの側面に周方向の凸部を径方向に間隔をおいて複数形成し、樹脂プーリの側面の表面積を大きくして放熱性を高めたもの（特許文献３参照）等が提案されている。
【０００５】
【特許文献１】実開平７−２８２５９号公報
【特許文献２】特開２００１−２２０９１７号公報
【特許文献３】特開２００４−３０８８４０号公報
【発明の開示】
【発明が解決しようとする課題】
【０００６】
しかし、特許文献２に記載の樹脂プーリ付き軸受は、樹脂プーリを形成する樹脂材料に熱伝導材を添加するため、その樹脂材料の価格が上昇して、製造コストが上昇する。
【０００７】
また、特許文献３に記載の樹脂プーリ付き軸受では、樹脂プーリのボス部と外径部をつなぐ連結アームが、全周にわたって設けられている。このため、軸受の発熱による熱が外輪を経て樹脂プーリの連結アームに蓄熱され易く、樹脂プーリの側面の凸部による放熱では不十分であった。
【０００８】
そこで、樹脂プーリの内径部の軸方向の幅（軸幅）を、ＪＩＳで規定され軸受荷重に応じて設定された転がり軸受の軸受幅の寸法（規格寸法）よりも小さく形成し、その内径部の両端面を外輪の両端面よりも軸方向内側に位置させることで、外輪の外径面の両端部を露出させ、放熱性を向上させることが考えられる。
【０００９】
ところが、前記樹脂プーリは、その内径部を前記規格寸法と同じ軸幅に形成した場合と比して、剛性が低下し、樹脂プーリ付き軸受の定格プーリ荷重が低下するという問題がある。
【００１０】
そこで、この発明の課題は、樹脂プーリの剛性を確保しつつ、転がり軸受の放熱性を向上させることにある。
【課題を解決するための手段】
【００１１】
前記課題を解決するために、この発明は、転がり軸受の外輪の外周に樹脂プーリが射出成形により一体成形された樹脂プーリ付き軸受において、前記転がり軸受の軸受幅が規格寸法よりも広く形成され、前記樹脂プーリの内径部の軸方向の幅が前記規格寸法よりも大きく、前記転がり軸受の軸受幅よりも小幅に形成され、前記樹脂プーリは、その両端面が前記外輪の両端面よりも軸方向内側となるように、前記外輪の外周に一体化された構成を採用したのである。
【００１２】
前記外輪の外周に樹脂プーリが一体化されると、軸方向の幅（軸幅）が規格寸法とされた樹脂プーリの内周部の両端面が、前記規格寸法よりも広い軸幅を有する外輪の両端面よりも軸方向内側となる。このため、外輪の端面および外径面の両端部が露出して、転がり軸受の放熱性を向上させることができる。ここで、規格寸法とは、ＪＩＳ  Ｂ  １５１２で規定されたラジアル軸受（円すいころ軸受を除く）での、同一内径、同一外径の組み合わせに対して規定され軸受荷重に応じて設定される軸受幅の寸法を意味する。
【００１３】
また、樹脂プーリの内径部の軸幅が、前記規格寸法に形成されるので、前述した樹脂プーリの内径部の軸幅を前記規格寸法よりも小さく形成した場合と異なり、樹脂プーリの剛性を確保することができる。
【００１４】
外輪の外周に樹脂プーリを射出成形により一体化する際、樹脂プーリの外輪の外径面に対する軸方向の位置は、樹脂プーリおよび転がり軸受の規格、樹脂プーリに掛かるベルト負荷等に応じて設定されるが、例えば、前記樹脂プーリを、その内周部の軸方向中心が前記外輪の軸方向中心に一致する状態で前記外輪の外周に一体化することができる。
【００１５】
このようにすると、外輪の外径面の軸方向両端部での樹脂プーリの端面と外輪の端面との間隔が等しくなり、外輪の外径面の両端部が均等に露出する。このため、外輪の軌道と転がり軸受の転動体との摩擦熱により、特に高温になり易い外輪の軸方向中央での熱を偏りなく均等に放熱することができるとともに、熱膨張による樹脂プーリの歪みが発生し難くなる。
【００１６】
また、転がり軸受で発生する熱の放熱性をさらに向上させるために、前記外輪の端面に複数の径方向の凹溝を設けたり、または前記外輪の端面に溝を全周にわたって形成したりすることができる。凹溝や溝の内面によって表面積が大きくなった外輪端面から転がり軸受の熱が効率良く放熱されるからである。
【００１７】
さらに、樹脂プーリに掛かるベルト負荷やトルクに応じて、樹脂プーリのクリープに対する耐力を向上させる必要がある場合、前記外輪の外径面に周溝を設け、前記樹脂プーリの内径部を前記周溝に埋め込むようにしてもよい。
【００１８】
このようにすると、樹脂プーリの内径部が周溝の側面に接触し、この接触による摩擦抵抗により、樹脂プーリのクリープに対する耐力が得られる。また、外輪の外径部の周溝に樹脂プーリの内径部の樹脂が埋め込まれているので、樹脂プーリの軸方向のずれ動きも防止される。
【００１９】
外輪の外径面に周溝を設けた構成を採用した場合、前述の樹脂プーリのクリープに対する耐力をさらに高めるために、周溝の底面に径方向外向きに突出する複数の係合部を備える構成とすることができる。この構成では、転がり軸受の回転による温度上昇に伴う樹脂プーリの樹脂と外輪の材質（例えば、軸受鋼）との熱膨張量の差に基づいて、周溝の底面の係合部の高さを規定することで、より効果的に樹脂プーリのクリープに対する耐力をさらに高めることが可能となる。
【００２０】
すなわち、前記周溝の底面に径方向外向きに突出する複数の係合部を備え、前記周溝の底面の外径Ｄと、前記樹脂プーリの材質の線膨張係数ａと、前記外輪の材質の線膨張係数ｂと、前記係合部の高さｈとで、前記転がり軸受の回転による温度変化が△ｔである場合、
ｈ＞Ｄ（（ａ−ｂ）×△ｔ）／２
の関係が成立するように係合部の高さｈを規定するようにしたのである。
【００２１】
このようにすると、外輪の材質と樹脂プーリの樹脂の材質との線膨張係数の差に基づいて突出高さが規定された係合部に樹脂プーリの樹脂を確実に食い込ませることができるので、樹脂プーリのクリープに対する耐力を効果的に高めることが可能となる。
【００２２】
一方、係合部の高さｈが０．５ｍｍを超えて形成されても、樹脂プーリのクリープに対する耐力が変わらないため、係合部の高さｈの最大値を、０．５ｍｍ以下に設定することができる。
【００２３】
また、前記周溝の底面にローレット加工が施され、ローレット加工によるローレット目が前記係合部とされると、周溝の底面に係合部を容易に形成することが可能となる。さらに、係合部とされるローレット目が周方向に一定ピッチで形成されるので、周溝の全周にわたって樹脂プーリのクリープに対する耐力を高めることができる。
【００２４】
前記転がり軸受の軸受幅が前記樹脂プーリの外径部の軸幅よりも小さく形成されると、樹脂プーリ付き軸受を取り付けた際、転がり軸受と外部との干渉を抑えることができる。
【００２５】
また、転がり軸受が深溝玉軸受の場合、周溝が形成される外輪の外径面での軸方向の位置は、転動体である玉の中心を通るラジアル平面と前記外輪の端面に形成された面取りとの間に形成された構成とすることができる。
【００２６】
このように、周溝の位置を規定することで、射出成形時、熱収縮による樹脂プーリの締め付け力が作用したとき、その締め付け力が外輪の外径面のうち軌道の径方向の外側に対応する部分に直接作用しない。その結果、外輪の軌道の内径方向への変位が抑えられ、軸受の精度に及ぼす影響を抑えることができる。
【００２７】
また、転がり軸受の内部に封入されるグリース量に関しては、例えば、実操業、実験等に基づいて、軸受内部の全空間容積あるいは静止空間容積に対する比率が規定され、所定量のグリースが封入され、そのグリース量の上限を、前記軸受空間の静止空間容積の８０％としてもよい。このとき、シール構造が非接触シールの場合、グリースが非接触シールの隙間を閉塞することによる軸受空間の内圧の増加を防止して、より確実にグリースの漏洩を防止することができる。
【００２８】
一方、前記グリース量の下限を、前記転がり軸受の全空間容積比で２０％とすると、グリース不足による軸受の潤滑不良を起こすおそれがない。ここで、全空間容積とは、転動体や保持器等の軸受構成部品間に形成される全ての内部空間の容積を言い、また、静止空間容積とは、シール板等の静止部品と、転動体等の回転部品との間に形成される環状空間の容積をいう。
【発明の効果】
【００２９】
以上のように、この発明は、転がり軸受の軸受幅が規格寸法よりも広く形成され、樹脂プーリの内径部の軸幅が前記規格寸法に形成され、樹脂プーリは、その両端面が前記外輪の両端面よりも軸方向内側となるように、外輪の外周に一体化されることで、外輪の端面および外径面の両端部を露出させ、転がり軸受の放熱性を高めて、軸受の長寿命化を図ることができる。
【００３０】
また、前記転がり軸受は、軸受幅が前記規格寸法よりも広く形成されているので、軸受幅が前記規格寸法に形成された場合と比して、その軸受空間に封入させるグリース量を増やすことができ、この場合も軸受の長寿命化を図ることができる。
【発明を実施するための最良の形態】
【００３１】
以下、図面に基づき、この発明の実施形態を説明する。図１および図２は、第１実施形態を示す。この樹脂プーリ付き軸受は、転がり軸受１１の外輪１３の外周に射出成形により樹脂プーリ２１が一体化されたものである。
【００３２】
転がり軸受１１は、内輪１２と外輪１３との間で複数の玉１４が保持器１５により周方向に間隔をおいて保持されたものである。この内輪１２と外輪１３の間の軸受空間には、グリースＧが封入され、両端面が円環状のシール板１６により密封されている。このグリースＧの軸受空間に対する封入量は、その上限が前記軸受空間の静止空間容積の８０％とされ、その下限が転がり軸受１１の全空間容積比で２０％とされる。なお、前記転がり軸受１１は、深溝玉軸受、アンギュラ玉軸受、円筒ころ軸受等を適用することができる。
【００３３】
前記転がり軸受１１の軸受幅は、規格寸法（ＪＩＳ  Ｂ  １５１２で規定された前記転がり軸受１１での、内径および外径の組み合わせに対して規定され軸受荷重に応じて設定される軸受幅の寸法）よりも広く形成されている。
【００３４】
転がり軸受１１の外輪１３の外径面には周溝１７が設けられ、周溝１７が外輪１３の軸方向中央Ｐと外輪１３端面の面取りとの間に形成されている。このため、射出成形時、熱収縮による樹脂プーリ２１の締め付け力が外輪１３に作用したとき、その締め付け力が外輪１３の外径面のうち軌道の径方向の外側に対応する部分（外輪１３の外径面の軸方向中央部分）に直接作用しない。その結果、外輪１３の軌道の内径方向への変位が抑えられ、軸受の精度に及ぼす影響を抑えることができる。
【００３５】
また、周溝１７は、図３に示すように、その底面Ｘに径方向に突出する係合部２４を備え、この係合部２４が周方向に間隔をおいて複数配置されている。この係合部２４の突出高さｈ（周溝１７の底面Ｘからの突出高さ）は、周溝１７の深さｂよりも小さく、次式で
表され、その最小値が制限されている。
【００３６】
［式１］
ｈ＞Ｄ（（ａ−ｂ）×△ｔ）／２
ｈ：係合部の突出高さ
Ｄ：周溝の底面の外径
ａ：樹脂プーリの材質の線膨張係数
ｂ：外輪の材質の線膨張係数
Δｔ：転がり軸受の回転による温度変化
【００３７】
この式によると、転がり軸受１１の回転による温度上昇Δｔに伴う樹脂プーリ２１の樹脂と外輪１３の材質（例えば、軸受鋼）との熱膨張量の差に基づいて係合部２４の突出高さｈが規定される。
【００３８】
これにより、係合部２４は、その高さが前記熱膨張量の差に基づく、周溝１７内での樹脂プーリ２１内面の径方向外向きの変位よりも大きく形成されるので、樹脂プーリ２１のボス部２２に確実に係合し、樹脂プーリ２１のクリープを確実に防止することができる。
【００３９】
また、周溝１７の底面Ｘにローレット加工を施すことにより、ローレット目を形成することができる。このようにすると、ローレット目が係合部２４とされ、周溝１７の底面に係合部２４を容易に形成することが可能となる。さらに、係合部２４とされるローレット目が周方向に一定ピッチで形成されるので、周溝１７の全周にわたって樹脂プーリ２１のクリープに対する耐力を高めることができる。
【００４０】
一方、係合部２４の突出高さｈの最大値としては、転がり軸受の型番、周溝の深さ、樹脂プーリの樹脂の材質等に基づいて、実験、実操業により設定され、例えば、０．５ｍｍとすることができる。突出高さｈが０．５ｍｍ超えて形成されても、樹脂プーリのクリープに対する耐力が変わらないからである。
【００４１】
また、外輪１３の両端面には、径方向の凹溝１８が周方向に複数設けられる（図４参照）。この凹溝１８により、外輪１３の両端面の表面積が大きくなり、転がり軸受１１の熱を効果的に放熱される。
【００４２】
前記樹脂プーリ２１は、内径側に形成されるボス部２２とベルト（図示省略）が掛けられプーリ溝を有する外径部２３とが一体に形成されたものである。ボス部２２の軸方向の幅（軸幅）の寸法が、転がり軸受１１の軸受幅と同じ寸法、すなわち、前述の規格寸法に形成されている。このため、樹脂プーリ２１は、その軸幅が前記規格寸法よりも狭く形成されたものと比して、その剛性が高められるとともに、剛性が確保される。
【００４３】
前記樹脂プーリ２１は、そのボス部２２の両端面が外輪１３の両端面よりも軸方向内側となるように、かつ、ボス部２２の軸方向中心を前記外輪の軸方向中心に一致させた状態で外輪１３の外周に一体化される。これにより、外輪１３の両端面および外径面の両端部が露出し、外径面の露出幅は同幅ｃとなる（図１参照）。このため、外輪１３の外径面の両端部において、外輪１３の軌道と転がり軸受の転動体の摩擦熱により特に高温になり易い外輪１３の軸方向中央での熱を、偏りなく均等に放熱することができる。
【００４４】
また、樹脂プーリ２１が一体化されると、外輪１３の周溝１７にボス部２２の樹脂が埋め込まれる。このとき、ボス部２２の周溝１７に埋め込まれた部分が、軸受からの熱によって熱膨張し、周溝１７の側面を押し付ける。その結果、周溝１７の側面と樹脂プーリ２１との径方向接触領域で摩擦抵抗を発生させることができ、より効果的に樹脂プーリ２１のクリープを防止することができる。
【００４５】
この発明の効果を確認するために、本発明者が行った第１試験について説明する。この試験は、外輪の外径面の露出幅と転がり軸受の放熱性との関係を明確にするために、外輪温度を検証したものであり、下記の運転条件にて運転し、試験後の外輪温度を確認した。
【００４６】
（運転条件）
転がり軸受：深溝玉軸受（＃６２０３）
樹脂プーリの内径部の軸幅：１２ｍｍ
回転速度：１５０００ｒ／ｍｉｎ
プーリ負荷：１０２０Ｎ
試験環境：１００℃
試験時間：０．５時間（軸受温度が安定する時間）        
（試験体）
実施例  転がり軸受：軸受幅１４ｍｍ    
比較例  転がり軸受：軸受幅１２ｍｍ（規格寸法）
【００４７】
比較例および実施例の試験結果を表１に示す。
【表１】
2010090969.tif 000003
【００４８】
この試験の結果、表１に示すように、転がり軸受の軸受幅が規格寸法よりも大きい実施例は、軸受幅が規格寸法である比較例と比して、外輪温度が低くなり、放熱性に優れていることが確認できた。
【００４９】
次に、本発明者が行った第２試験について説明する。この試験は、転がり軸受の軸受幅とグリースの寿命との関係を検証したものであり、下記の運転条件にて運転し、グリースの寿命を確認した。
【００５０】
（運転条件）
転がり軸受：深溝玉軸受（＃６２０３）
樹脂プーリの内径部の軸幅：１２ｍｍ（規格寸法）
回転速度：１２２００ｒ／ｍｉｎ
プーリ負荷：１５００Ｎ
軸受温度：１６０℃
グリース：アルバニヤグリースＳ２（昭和シェル石油（株）製）
グリース封入量：静止空間容積比８０％
（試験体）
実施例１  転がり軸受：軸受幅１４ｍｍ  
実施例２  転がり軸受：軸受幅１６ｍｍ
比較例１  転がり軸受：軸受幅１２ｍｍ（規格寸法）
【００５１】
実施例１、２および比較例１の試験結果を表２に示す。
【表２】
2010090969.tif 000004
【００５２】
この試験の結果、表２に示すように、転がり軸受の軸受幅が規格寸法よりも大きい実施例１、２は、軸受幅が規格寸法である比較例１と比して、グリース封入量が多くなり、前述の第１試験結果より外輪放熱性に優れていることから、グリースの長寿命化を確認できた。
【００５３】
さらに、周溝１７の底面に施したローレット加工によるローレット目のクリープの防止効果を確認するために、発明者は、ローレット目の突出高さｈとクリープトルクとの関係を検証する第３実験を行った。その実験条件は下記に示す。
【００５４】
（実験条件）
転がり軸受：型番  深溝玉軸受（＃６２０３）
：材質  軸受鋼（ＳＵＪ２)
：線膨張係数  １．２５×１０−５[１／℃]
樹脂プーリ：材質  ＰＡ６６（ポリアミド６６）＋ＧＦ（グラスファイバ）
：線膨張係数  １０．４７×１０−５[１／℃]
軸受温度：１５０℃
熱膨張差：０．２８ｍｍ
（試験体）
実験例１  ローレット仕様  ピッチ１．０ｍｍ  突出高さ０．３００ｍｍ
実験例２  ローレット仕様  ピッチ１．０ｍｍ  突出高さ０．３９６ｍｍ
実験例３  ローレット仕様  ピッチ１．２ｍｍ  突出高さ０．５００ｍｍ
実験例４  ローレット仕様  ピッチ１．５ｍｍ  突出高さ０．６５２ｍｍ
比較例    ローレット加工無し  
【００５５】
この試験の結果、図５に示すように、実験例１〜４は、比較例（クリープトルク：６Ｎ・ｍ）と比して、その突出高さｈが大きくなるほどクリープトルクが大きくなる。このことから、ローレット目の突出高さｈに基づいて、クリープ防止効果が発揮されることが確認できた。
また、その突出高さｈが０．５ｍｍを超えるとクリープトルクの値が横ばいとなるため、軸受の負荷容量の観点から突出高さｈの上限は、この転がり軸受の規格において、０．５ｍｍが好ましい。
【００５６】
この発明の第２実施形態を図６、図７に示す。この実施形態は、外輪１３の両端面に径方向の凹溝１８を形成する代わりに、図７に示す溝１９を全周にわたって形成したものである。その他の構成は前述の第１実施形態のものと同様であり、同一に考えられる構成に同符号を用いて、その説明を省略する。
【００５７】
前記外輪１３の両端面に溝１９を形成することで、凹溝１８を形成した構成と同様、外輪１３の両端面の表面積が大きくなり放熱性が向上する。
【図面の簡単な説明】
【００５８】
【図１】第１実施形態に係る樹脂プーリ付き軸受を示す縦断面図
【図２】同上の要部を示す拡大縦断面図
【図３】図２のＡ−Ａ線における断面図
【図４】同上の樹脂プーリ付き軸受を示す側面図
【図５】第３実験の結果を示すグラフ
【図６】第２実施形態に係る樹脂プーリ付き軸受を示す縦断面図
【図７】同上の樹脂プーリ付き軸受を示す側面図
【符号の説明】
【００５９】
１１  転がり軸受
１２  内輪
１３  外輪
１４  玉
１５  保持器
１６  シール板
１７  周溝
１８  凹溝
１９  溝
２１  樹脂プーリ
２２  ボス部
２３  外径部
２４  係合部
【図１】
2010090969.tif 000005
【図２】
2010090969.tif 000006
【図３】
2010090969.tif 000007
【図４】
2010090969.tif 000008
【図５】
2010090969.tif 000009
【図６】
2010090969.tif 000010
【図７】
2010090969.tif 000011